(57)【要約】【課題】建造物の部品のトレーサビリティを実現するとともに、作業者が部品の流通履歴を把握できるようにする。【解決手段】作業者が端末コンピュータ６１に特定の部品１の識別情報を与えると、それに対応する流通履歴データがホストコンピュータ２１から端末コンピュータ６１に送信されて、その流通履歴データの値が端末６０の表示デバイス６２に表示される。その後、作業者が手元の候補の部品１の識別情報を端末コンピュータ６１に特定の部品１の識別情報を与えると、端末コンピュータ６１が特定の部品１の識別情報と候補の部品１の識別情報を対比して、対比結果が表示デバイス６２に表示される。【選択図】図１
2019099361.tif 000002
【特許請求の範囲】
【請求項１】
建造物の各部品に割り当てられた識別情報と、前記各部品についての製造から設置までの流通過程の履歴に関する流通履歴データと、を作業員が端末に取得させることによって前記端末が送信する前記識別情報と前記流通履歴データを、前記端末から収集して、前記部品毎に前記流通履歴データを前記識別情報に対応付けて、前記流通履歴データと前記識別情報を記憶部に記録するホストコンピュータと、
前記ホストコンピュータと通信可能な端末コンピュータと、を備える部品探索支援システムにおいて、
前記端末コンピュータが、
前記各部品のうち特定の部品の識別情報を取得する取得処理と、
前記取得処理により取得された識別情報を前記ホストコンピュータに送信する送信処理と、を実行し、
前記ホストコンピュータが、
前記送信処理により送信された識別情報を受信する受信処理と、
前記記憶部に記録された前記流通履歴データのうち、前記受信処理により受信した識別情報に対応付けられた流通履歴データを前記端末コンピュータに送信する第二送信処理と、を実行し、
前記端末コンピュータが、
前記第二送信処理により送信された流通履歴データを受信する第二受信処理と、
前記第二受信処理により受信した流通履歴データの値を出力デバイスに出力させる出力処理と、を実行する
部品探索支援システム。
【請求項２】
前記ホストコンピュータが、前記第二送信処理において、前記受信処理により受信した識別情報に対応付けられた流通履歴データと、それに対応付けられた識別情報とを前記端末コンピュータに送信し、
前記端末コンピュータが、前記第二受信処理において、前記第二送信処理により送信された流通履歴データ及び識別情報を受信し、
前記端末コンピュータが、
前記各部品のうち候補部品に付された識別情報の読取を読取デバイスに行わせることによってその識別情報を取得する第二取得処理と、
前記第二取得処理により取得した識別情報と、前記第二受信処理により受信した識別情報とを対比することによって、これらが一致するか否かを判定する対比処理と、
前記対比処理による対比結果を前記出力デバイスに出力させる第二出力処理と、を実行する
請求項１に記載の部品探索支援システム。
【発明の詳細な説明】
【技術分野】
【０００１】
本発明は、ホストコンピュータと、そのホストコンピュータと通信可能な端末コンピュータとを備える部品探索支援システムに関する。
【背景技術】
【０００２】
特許文献１には、建築現場に運び込まれる資材に付された資材データをリーダによって電子計算機に取り込み、その資材データをライタによってＩＣタグに書き込む管理システムが開示されている。資材データは、資材の材質、原材料、製造元、製造日、ロットナンバー、性能、性質等に関するデータである。
【０００３】
また、特許文献１には、建築現場に設置される検査対象の検査結果を電子計算機によってＱＲコード（登録商標）にコード化し、そのＱＲコードをレーザーマーカーによって検査対象に刻印する管理システムが開示されている。
【０００４】
特許文献２には、タワークレーンによって揚重される建築部材に付されたバーコードをリーダによって取り込み、そのバーコードに従って部材名及び設置日時を記録媒体に記録する管理装置が開示されている。
【０００５】
特許文献３には、建設現場に入着した資材のバーコードを光学的リーダによって読み取って、ストックヤードにおける仮置き位置を特定するデータを入力装置によって入力し、これにより資材の入着を管理する装置が開示されている。
【先行技術文献】
【特許文献】
【０００６】
【特許文献１】特許第５６２８３９６号公報
【特許文献２】特公平６−２８０７０号公報
【特許文献３】特許第２７２５５２２号公報
【発明の概要】
【発明が解決しようとする課題】
【０００７】
ところで、建造物の部品が工場における製造段階から、工事現場における製造段階まで流通する過程におけるトレーサビリティの実現が望まれている。つまり、部品を製造から設置まで追跡可能な状態にすることが望まれる。
また、管理者のみならず現場の作業者も部品の流通履歴を把握できるようにすることが望まれる。更に、作業者が流通過程の各段階にある複数の部品の中から特定の部品を探し出せるようにすることが望まれる。
【０００８】
そこで、本発明は、上記事情に鑑みてなされたものであり、本発明の目的は、建造物の部品のトレーサビリティを実現するとともに、作業者も部品の流通履歴を把握できるようにすることである。
【課題を解決するための手段】
【０００９】
以上の課題を解決するために、建造物の各部品に割り当てられた識別情報と、前記各部品についての製造から設置までの流通過程の履歴に関する流通履歴データと、を作業員が端末に取得させることによって前記端末が送信する前記識別情報と前記流通履歴データを、前記端末から収集して、前記部品毎に前記流通履歴データを前記識別情報に対応付けて、前記流通履歴データと前記識別情報を記憶部に記録するホストコンピュータと、前記ホストコンピュータと通信可能な端末コンピュータと、を備える部品探索支援システムにおいて、前記端末コンピュータが、前記各部品のうち特定の部品の識別情報を取得する取得処理と、前記取得処理により取得された識別情報を前記ホストコンピュータに送信する送信処理と、を実行し、前記ホストコンピュータが、前記送信処理により送信された識別情報を受信する受信処理と、前記記憶部に記録された前記流通履歴データのうち、前記受信処理により受信した識別情報に対応付けられた流通履歴データを前記端末コンピュータに送信する第二送信処理と、を実行し、前記端末コンピュータが、前記第二送信処理により送信された流通履歴データを受信する第二受信処理と、前記第二受信処理により受信した流通履歴データの値を出力デバイスに出力させる出力処理と、を実行する。
【００１０】
以上によれば、作業員が、部品の流通過程の履歴に関する流通履歴データと、部品の識別情報とを端末に取得させる。そうすると、端末が流通履歴データと部品の識別情報とをホストコンピュータに送信する。そして、ホストコンピュータが、部品の流通過程の履歴に関する流通履歴データと、部品の識別情報とを対応付けて記憶部に記録する。それゆえ、各部品のトレーサビリティを実現することができる。
また、作業者が特定の部品の識別情報を端末コンピュータに与えれば、それに対応する流通履歴データの値がホストコンピュータから端末コンピュータに送信されて、その値が端末コンピュータによって出力デバイスから出力される。それゆえ、作業者が特定の部品の流通履歴を把握できる。
【００１１】
好ましくは、前記ホストコンピュータが、前記第二送信処理において、前記受信処理により受信した識別情報に対応付けられた流通履歴データと、それに対応付けられた識別情報とを前記端末コンピュータに送信し、前記端末コンピュータが、前記第二受信処理において、前記第二送信処理により送信された流通履歴データ及び識別情報を受信し、前記端末コンピュータが、前記各部品のうち候補部品に付された識別情報の読取を読取デバイスに行わせることによってその識別情報を取得する第二取得処理と、前記第二取得処理により取得した識別情報と、前記第二受信処理により受信した識別情報とを対比することによって、これらが一致するか否かを判定する対比処理と、前記対比処理による対比結果を前記出力デバイスに出力させる第二出力処理と、を実行する。
【００１２】
以上によれば、作業者が複数の部品のうち候補部品に付された識別情報を読取デバイスにより端末コンピュータに与えると、特定の部品の識別情報と候補部品の識別情報が一致するか否か端末コンピュータによって判定される。その結果が出力デバイスから出力されるので、作業者は候補部品が特定の部品であるかを把握できる。これにより、作業者は、複数の候補部品の中から特定の部品を探し出すことができる。
【発明の効果】
【００１３】
本発明によれば、各部品のトレーサビリティを実現することができる。また、作業者が特定の部品の流通履歴を把握できる。
【図面の簡単な説明】
【００１４】
【図１】建造物の複数の部品の流通過程を示した図面である。
【図２】部品及びそれに付された識別情報のコードを示す斜視図である。
【図３】部品探索支援システムのブロック図である。
【図４】部品データの構成を示した図面である。
【図５】流通履歴データの構成を示した図面である。
【図６】モード選択画面を示した図面である。
【図７】管理モードにおける流通過程の段階の選択画面を示した図面である。
【図８】管理モードにおける出荷情報の入力画面を示した図面である。
【図９】管理モードにおけるコード読取画面を示した図面である。
【図１０】管理モードにおいて入力した出荷情報の値の表示画面を示した図面である。
【図１１】管理モードにおける建造物モデルの表示画面を示した図面である。
【図１２】管理モードにおける搬入情報の入力画面を示した図面である。
【図１３】閲覧モードにおけるコード読取画面を示した図面である。
【図１４】閲覧モードにおける部品モデルの選択画面を示した図面である。
【図１５】閲覧モードにおいて流通履歴データの値を表示する画面を示した図面である。
【図１６】閲覧モードにおいて属性情報の値を表示する画面を示した図面である。
【図１７】探索モードにおける部品モデルの選択画面を示した図面である。
【図１８】探索モードにおける流通履歴データの値を表示する画面を示した図面である。
【図１９】探索モードにおけるコード読取画面を示した図面である。
【図２０】候補の部品が特定の部品でない場合に表示される画面を示した図面である。
【図２１】候補の部品が特定の部品である場合に表示される画面を示した図面である。
【発明を実施するための形態】
【００１５】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１６】
１．  建造物の部品の流通経路
図１は、建造物の工事に使用される部品１の流通経路を示した図面である。部品１は、工事の目的物たる建造物の一部分を成す。部品１は、例えば、鉄骨、鉄筋、プレキャストコンクリート部材、柱、梁、柱梁仕口部、内壁材、外壁材、床材、天井材、屋根材、外装材、配管又は免震材である。
【００１７】
図１に示すように、部品１を各工場９０にて製造した後、製造済みの部品１を工場９０の保管場所９１にて保管する。
出荷前に、製造済みの部品１を検査する。検査済みの部品１を保管場所９１から取り出して、貨物車９２に積載することによって出荷の準備をする。その後、貨物車９２によって部品１を工場９０から工事現場９３へ輸送する。
部品１を工事現場９３に搬入した後、工事現場９３のストックヤード９４に一時保管する。その後、部品１を工事現場９３のストックヤード９４から出来形５の近くの作業ヤード９５まで搬送する。ここで、出来形５とは、工事の目的物たる建造物のうち施工が完了した部分をいう。
作業ヤード９５では、必要に応じて複数の部品１を組み立てる。その組み立て作業を地組作業という。
地組した又は地組していない部品１をタワークレーン９６によって作業ヤード９５から揚重する。そして、揚重した部品１を設置する。なお、部品１を設置することを「建方」ということもある。
以上のように複数の部品１を流通させて、設置することによって、建造物を構築する。
【００１８】
２．  識別情報及びそのコード
以上のように流通する部品１のトレーサビリティを実現するため、つまり、部品１の流通経路を製造段階から設置段階までの追跡可能性を実現するため、各部品１には、固有の識別情報が割り当てられている。例えば名称、シリアル番号又は製造番号等が識別情報として用いられる。
【００１９】
図２は、部品１の斜視図である。部品１の表面には、コード２が付されている。コード２は一次元コード又は二次元コードであり、より具体的にはＱＲコード（登録商標）である。ＱＲコードはマトリクス型の二次元コードである。
【００２０】
コード２は、部品１に割り当てられた固有の識別情報の値をエンコードしたものである。コード２は、工場９０にて部品１の製造中又は製造した直後に、部品１に付される。識別情報は、建造物の部品１の集合の中で、その識別情報が割り当てられた部品１を他の部品１から識別するための情報である。コード２の値、つまり識別情報の値によって、そのコード２が付された部品１を識別することができる。
【００２１】
なお、コード２の代わりに文字列又はＩＣタグが部品１に付されてもよい。文字列は、部品１に割り当てられた固有の識別情報の値を表したものである。ＩＣタグは、部品１に割り当てられた識別情報を記憶した近距離無線通信な小型電子機器である。ＩＣタグはＲＦＩＤともいう。
【００２２】
３．  部品探索支援システム
部品１の流通の所定段階、例えば、工場９０から部品１を出荷する段階、部品１を工事現場９３のストックヤード９４に搬入する段階、部品１を地組する段階、或いは、部品１を設置する段階等において、作業者が携帯端末６０（図１、図３参照）を用いてコード２を携帯端末６０に読み込ませる。読み込まれたコード２が携帯端末６０によって識別情報にデコードされる。そして、その識別情報が時刻等の各種の情報とともに携帯端末６０からホスト２０に送信される。そのため、各部品１の各種の情報がホスト２０に蓄積されて、収集される。
【００２３】
図３を参照して、ホスト２０及び携帯端末６０等からなる部品探索支援システムについて詳細に説明する。
【００２４】
ホスト２０は、ホストコンピュータ２１、表示デバイス２２、入力デバイス２３、記憶部２４及び通信デバイス２５等を備える。
【００２５】
ホストコンピュータ２１は、ＣＰＵ、ＧＰＵ、ＲＯＭ、ＲＡＭ、システムバス及びハードウェアインタフェース等を有する。
表示デバイス２２は、例えば液晶ディスプレイデバイス又は有機ＥＬディスプレイデバイスである。ホストコンピュータ２１が演算処理によって映像信号を生成し、その映像信号を表示デバイス２２に出力する。そうすると、映像信号に従った画面が表示デバイス２２によって表示される。
入力デバイス２３は、例えばスイッチ、キーボード若しくはポインティングデバイス又はこれらの組み合わせである。入力デバイス２３は、操作されると操作内容に応じた信号をホストコンピュータ２１に出力する。
記憶部２４は、半導体メモリ又はハードディスクドライブ等からなる記憶装置である。
通信デバイス２５は、所定の通信規格に従って、インターネット等のネットワーク９９に接続する。
【００２６】
記憶部２４には、ＢＩＭ（Building Information Modeling：ビルディング インフォメーション モデリング）を実現する設計用ソフトウェアによって作成された設計データ３０が記憶されている。設計データ３０は、工事の目的物たる建造物の仕様を規定した情報である。設計データ３０は複数の部品データ３１の集合体を有する。部品データ３１は部品１の仕様を規定した情報であり、部品１ごとに部品データ３１が準備されている。
【００２７】
図４に示すように、部品データ３１は識別情報３２、三次元形状情報３３、位置情報３４及び属性情報３５から構成されている。
識別情報３２の値は、部品１ごとに固有となる。部品１に付されるコード２は、その部品１の部品データ３１に含まれる識別情報３２をエンコードしたものである。
三次元形状情報３３は、部品１をモデリングするために部品１の三次元形状を定義する。三次元形状情報３３では、部品１の三次元形状が三次元のローカル座標系によって表現されている。三次元形状情報３３に従ってモデリングされる部品モデルは、サーフェースモデル、ソリッドモデル、ワイヤフレームモデル若しくはポリゴンモデル又はこれらの組み合わせである。
位置情報３４は、三次元形状情報３３に従ってモデリングされる部品モデルの位置及び向きを定義する。位置情報３４では、部品モデルの位置及び向きが三次元のワールド座標系で表現されている。
属性情報３５は、部品１が有する属性（例えば種類、体積、重量、仕様、素材、原材料、材質、製造業者、製造工場、出荷予定日、搬入予定日、地組予定日、設置予定日等）を定義する。
【００２８】
また、属性情報３５には、流通段階特定情報３６が含まれている。流通段階特定情報３６は、部品１の流通段階を特定するための情報である。部品１の流通段階としては『未出荷』、『出荷済み』、『搬入済み』、『地組済み』及び『設置済み』があり、流通段階特定情報３６の取り得る値は『未出荷』、『出荷済み』、『搬入済み』、『地組済み』及び『設置済み』である。流通段階特定情報３６の初期値は、『未出荷』を意味する『none』、つまり『データ無し』である。なお、本明細書において、二重鉤括弧によって括弧書きされたものは、データ又は情報等が表す内容（値）を意味する。
【００２９】
また、属性情報３５には、備考情報３７が含まれている。備考情報３７は、製造から設置までの任意段階において作業者が入力するデータである。備考情報３７は例えばテキストデータである。
【００３０】
図３に示すように、ホスト２０の記憶部２４には、ホストコンピュータ２１によって読取可能且つ実行可能な設計プログラム５８が格納されている。設計プログラム５８は、ＢＩＭ及びＣＡＤ（Computer-Aided Design）を実現する設計用ソフトウェアである。ホストコンピュータ２１が設計プログラム５８を実行することによってＢＩＭ及びＣＡＤが実現される。設計プログラム５８の実行中、ホストコンピュータ２１が設計データ３０を読み込む。そうすると、ホストコンピュータ２１が各部品１の三次元形状情報３３及び位置情報３４に従って各部品モデルを仮想空間に配置して、各部品モデルをレンダリング処理によって表示デバイス２２に表示させる。これにより、各部品モデルからなる建造物モデルが表示デバイス２２に表示される。
【００３１】
記憶部２４には、流通履歴データベース４０が蓄積される。流通履歴データベース４０は、各部品１の流通履歴を収集することによって作成される。流通履歴データベース４０は複数の流通履歴データ４１の集合体である。流通履歴データ４１は部品１の流通履歴を規定した情報であり、部品１ごとに流通履歴データ４１が作成される。
【００３２】
図５に示すように、流通履歴データ４１は識別情報４２、流通段階特定情報４３、出荷時刻情報４４、製造業者情報４５、製造工場情報４６、積載車情報４７、出荷時備考情報４８、搬入時刻情報４９、一時保管場所情報５０、搬入時備考情報５１、地組時刻情報５２、地組時備考情報５３、設置時刻情報５４、設置時備考情報５５及び備考情報５６から構成されている。
識別情報４２の値は、部品１ごとに固有となる。流通履歴データ４１の識別情報４２の値と部品データ３１の識別情報３２の値が等しければ、その流通履歴データ４１とその部品データ３１は同一の部品１に関する情報である。
流通段階特定情報４３は、部品１の流通段階を特定するデータである。
出荷時刻情報４４は、部品１を工場９０から出荷した時刻を特定するデータである。
製造業者情報４５は、部品１を製造した業者を特定するデータである。
製造工場情報４６は、部品１を製造した工場９０を特定するデータである。
積載車情報４７は、部品１を輸送した貨物車９２を特定するデータである。
出荷時備考情報４８は、出荷段階において作業者が入力するデータである。
搬入時刻情報４９は、部品１を工事現場９３に搬入した時刻を特定するデータである。
一時保管場所情報５０は、工事現場９３のストックヤード９４が分けられた複数の領域のうち、部品１が保管される領域を特定するデータである。
搬入時備考情報５１は、搬入段階において作業者が入力するデータである。
地組時刻情報５２は、部品１が地組される時刻を特定するデータである。
地組時備考情報５３は、地組段階において作業者が入力するデータである。
設置時刻情報５４は、部品１が設置される時刻を特定するデータである。
設置時備考情報５５は、設置段階において作業者が入力するデータである。
備考情報５６は、流通過程の任意段階において作業者が入力するデータである。
【００３３】
これら情報４２〜５６の初期値は、『none』、つまり『データ無し』である。また、時刻情報４４，４９，５２，５４の値、つまり時刻は、日、時間、分、秒の何れの単位であってもよいし、秒よりも細かい単位であってもよい。
【００３４】
図３に示すように、ホスト２０の記憶部２４には、ホストコンピュータ２１によって読取可能且つ実行可能な探索支援プログラム５９が格納されている。探索支援プログラム５９がホストコンピュータ２１に実行させる処理については、後に詳述する。
【００３５】
携帯端末６０は、例えばノート（ラップトップ）型コンピュータシステム、タブレット型コンピュータシステム又はスマートフォンである。携帯端末６０は、端末コンピュータ６１、表示デバイス６２、入力デバイス６３、記憶部６４、通信デバイス６５、リーダ６６、マイクロフォン６７及びスピーカ６８等を備える。表示デバイス６２及びスピーカ６８は、出力デバイスである。
【００３６】
端末コンピュータ６１は、ＣＰＵ、ＧＰＵ、ＲＡＭ、ＲＯＭ、システムバス及びハードウェアインタフェース等を有する。
表示デバイス６２は、例えば液晶ディスプレイデバイス又は有機ＥＬディスプレイデバイスである。端末コンピュータ６１が演算処理によって映像信号を生成し、その映像信号を表示デバイス６２に出力する。そうすると、映像信号に従った画面が表示デバイス６２によって表示される。
入力デバイス６３は、例えばスイッチ、キーボード若しくはポインティングデバイス又はこれらの組み合わせである。入力デバイス６３は、表示デバイス６２の表面に設けられたタッチパネルであってもよい。入力デバイス６３は、操作されると操作内容に応じた信号を端末コンピュータ６１に出力する。
【００３７】
リーダ６６は、部品１に付されたコード２を読み取る読取デバイスである。具体的には、リーダ６６は、例えばデジタルカメラ又はレーザー式スキャナ等の画像入力装置を有する。リーダ６６は、部品１のコード２を含む光学画像を光電変換によってデジタルな画像に変換して、端末コンピュータ６１に出力する。端末コンピュータ６１は、リーダ６６から画像を取得して、その画像を識別情報にエンコードする。これにより、端末コンピュータ６１が、部品１に付されたコード２からエンコードされた識別情報を取得する。
【００３８】
コード２の代わりに文字列が部品１に付されている場合、端末コンピュータ６１がリーダ６６から入力した画像を文字認識することによって、文字列を識別情報に変換する。これにより、端末コンピュータ６１が識別情報を取得する。
コード２の代わりにＩＣタグが部品１に付されている場合、リーダ６６はＩＣタグと無線通信可能な無線リーダである。この場合、リーダ６６がＩＣタグに記録された識別情報を読み取り、その識別情報を端末コンピュータ６１に出力する。これにより、端末コンピュータ６１が識別情報を取得する。
【００３９】
マイクロフォン６７は、音声を電気信号に変換するデバイスである。端末コンピュータ６１が音声認識機能を有していてもよい。つまり、端末コンピュータ６１は、マイクロフォン６７の出力信号を文字コード等に変換する機能を有する。
【００４０】
スピーカ６８は電気音響変換器である。端末コンピュータ６１が演算処理によって音声信号を生成し、その音声信号をスピーカ６８に出力する。そうすると、音声信号に従った音声がスピーカ６８によって出力される。
記憶部６４は、半導体メモリ又はハードディスクドライブ等からなる記憶装置である。記憶部６４が端末コンピュータ６１に内蔵されていてもよいし、端末コンピュータ６１に外付けされていてもよい。
通信デバイス６５は、所定の通信規格に従って、無線によってインターネット等のネットワーク９９に接続する。端末６０の通信デバイス６５とホスト２０の通信デバイス２５によってホストコンピュータ２１と端末コンピュータ６１との間で通信が実現される。
【００４１】
記憶部６４には、端末コンピュータ６１によって読取可能且つ実行可能な探索支援プログラム８１が格納されている。探索支援プログラム８１が端末コンピュータ６１に実行させる処理については、後に詳述する。
【００４２】
また、記憶部６４には、設計データ７０が格納されている。この設計データ７０は、端末コンピュータ６１とホストコンピュータ２１との間の同期処理により複製されたものである。つまり、端末コンピュータ６１が探索支援プログラム８１に従って同期処理を実行することによってホスト２０から設計データ３０を取得し、その設計データ３０が設計データ７０として端末コンピュータ６１によって記憶部６４に記録される。従って、設計データ７０は、設計データ３０と同様に、複数の部品データ７１の集合体を有する。
【００４３】
４．  流通履歴の収集
部品探索支援システムを用いて各部品１の流通履歴データ４１を収集する方法について説明する。併せて、探索支援プログラム５９が流通履歴データ４１の収集のためにホストコンピュータ２１に実行させる処理について説明する。更に、探索支援プログラム８１が流通履歴データ４１の収集のために端末コンピュータ６１に実行させる処理について説明する。以下のように各部品１の流通履歴データ４１が収集されることによって、各部品１の流通履歴が管理されて、各部品１のトレーサビリティが実現される。
【００４４】
４−１．  ホストコンピュータのプログラム実行
ホストコンピュータ２１が探索支援プログラム５９を実行すると、端末コンピュータ６１からホストコンピュータ２１にリクエスト又はアクションがあるまでの間、ホストコンピュータ２１がデータ受信可能な状態となっている。
【００４５】
４−２．  出荷段階の履歴取得
（１）  モード選択画面の表示
工場９０からの部品１の出荷段階において、その出荷作業に携わる作業者が端末コンピュータ６１に探索支援プログラム８１を実行させる。そうすると、端末コンピュータ６１が図６に示すようなモード選択画面を表示デバイス６２に表示させる。
【００４６】
図６に示すように、モード選択画面には、ボタン１０１〜１０３が配置されている。管理ボタン１０１は、端末コンピュータ６１を履歴収集モードに移行させるためのウィジェットである。閲覧ボタン１０２は、端末コンピュータ６１を閲覧モードに移行させるためのウィジェットである。探索ボタン１０３は、端末コンピュータ６１を探索モードに移行させるためのウィジェットである。
【００４７】
（２）  流通段階選択画面の表示
モード選択画面の表示中に作業者が入力デバイス６３によって管理ボタン１０１の選択・決定をすると、端末コンピュータ６１がその旨を認識する。そうすると、端末コンピュータ６１が図７に示すような流通段階選択画面を表示デバイス６２に表示させる。
【００４８】
図７に示すように、流通段階選択画面には、ボタン１０４〜１０７が配置されている。出荷ボタン１０４は、端末コンピュータ６１を出荷情報収集モードに移行させるためのウィジェットである。搬入ボタン１０５は、端末コンピュータ６１を搬入情報収集モードに移行させるためのウィジェットである。地組ボタン１０６は、端末コンピュータ６１を地組情報収集モードに移行させるためのウィジェットである。建方ボタン１０７は、端末コンピュータ６１を設置情報収集モードに移行させるためのウィジェットである。探索支援プログラム８１において、ボタン１０４〜１０７は選択肢にそれぞれ対応付けられている。出荷ボタン１０４に対応付けられた選択肢の値は『出荷済み』となっており、搬入ボタン１０５に対応付けられた選択肢の値は『搬入済み』となっており、地組ボタン１０６に対応付けられた選択肢の値は『地組済み』となっており、建方ボタン１０７に対応付けられた選択肢の値は『設置済み』となっている。
【００４９】
（３）  流通段階特定情報の取得
流通段階選択画面の表示中に作業者が入力デバイス６３によって出荷ボタン１０４の選択・決定をすると、端末コンピュータ６１がその旨を認識する。そうすると、端末コンピュータ６１は、出荷ボタン１０４に対応付けられた選択肢を流通段階特定情報として取得する。つまり、端末コンピュータ６１は、値が『出荷済み』となる流通段階特定情報を取得する。
【００５０】
（４）  出荷情報の取得
流通段階特定情報の取得後、端末コンピュータ６１は、図８に示すような出荷情報入力画面を表示デバイス６２に表示させる。図８に示すように、出荷情報入力画面には、コンボボックス１０８〜１１０及びテキストボックス１１１が配置されている。コンボボックス１０８は、部品１の出荷元の製造業者を選択して入力するためのウィジェットである。コンボボックス１０９は、部品１の製造工場を選択して入力するためのウィジェットである。コンボボックス１１０は、部品１が積載される貨物車９２に特有の情報（例えば、貨物車９２の番号）を選択して入力するためのウィジェットである。テキストボックス１１１は、作業者がテキストを入力するためのウィジェットである。
【００５１】
作業者が入力デバイス６３によってコンボボックス１０８の各項目の中から１つを選択すると、端末コンピュータ６１が入力デバイス６３によって選択項目を製造業者情報として取得する。作業者が入力デバイス６３によってコンボボックス１０９の各項目の中から１つを選択すると、端末コンピュータ６１が選択項目を製造工場情報として取得する。作業者が入力デバイス６３によってコンボボックス１０９の各項目の中から１つを選択すると、端末コンピュータ６１が選択項目を積載車情報として取得する。作業者が入力デバイス６３によってテキストボックス１１１にテキストを入力すると、端末コンピュータ６１が入力テキストを出荷時備考情報として取得する。
【００５２】
（５）  識別情報の取得
作業者が上述のように全てのコンボボックス１０８〜１１０における項目を選択し、必要に応じてテキストボックス１１１にテキストを入力したら、端末コンピュータ６１が図９に示すようなコード読取画面を表示デバイス６２に表示させるとともに、リーダ６６を起動する。
【００５３】
コード読取画面の表示中に作業者が端末６０のリーダ６６を部品１のコード２、文字列又はＩＣタグに向けて、端末６０のリーダ６６に読込処理を行わせる。そうすると、端末コンピュータ６１は、リーダ６６の出力信号を処理して識別情報を取得する。なお、作業者が入力デバイス２３によって識別情報の値を画面中のテキストボックス１１２に入力することによって、端末コンピュータ６１が識別情報を取得してもよい。また、作業者が識別情報の値をマイクロフォン６７に向けて発声することによって、端末コンピュータ６１が音声認識処理によりマイクロフォン６７の出力信号を識別情報の値に変換してもよい。
その後、端末コンピュータ６１は、取得した識別情報に流通段階特定情報、製造業者情報、製造工場情報、積載車情報及び出荷時備考情報を対応付ける。
【００５４】
（６）  出荷時刻情報の取得
端末コンピュータ６１は、識別情報の取得時にその時刻を検知して、検知時刻を値とした出荷時刻情報を取得する。そして、端末コンピュータ６１は、その出荷時刻情報を識別情報に対応付ける。
【００５５】
なお、以下の（７）の送信及び表示の処理の実行の前に、上述の（４）〜（６）の処理が端末コンピュータ６１によって繰り返し実行されることによって、端末コンピュータ６１が複数の部品１について識別情報に流通段階特定情報、出荷時刻情報、製造業者情報、製造工場情報、積載車情報及び出荷時備考情報を対応付けてもよい。
【００５６】
（７）  取得情報の送信及び表示
識別情報及び出荷時刻情報の取得後、端末コンピュータ６１が識別情報をホストコンピュータ２１に送信するとともに、その識別情報に対応付けられた流通段階特定情報、出荷時刻情報、製造業者情報、製造工場情報、積載車情報及び出荷時備考情報をホストコンピュータ２１に送信する。
【００５７】
また、端末コンピュータ６１は、図１０に示すように、取得した識別情報、製造業者情報、製造工場情報、積載車情報、出荷時刻情報及び出荷時備考情報の値を表示デバイス６２に表示させる。図１０に示す画面中の領域１１５ａには、識別情報の値が表示され、領域１１５ｂには、製造業者情報の値が表示され、領域１１５ｃには、製造工場情報の値が表示され、領域１１５ｄには、積載車情報の値が表示され、領域１１５ｅには、出荷時刻情報の値が表示され、領域１１５ｆには、出荷時備考情報の値が表示される。
【００５８】
なお、（４）〜（６）の処理が端末コンピュータ６１によって繰り返し実行された場合、端末コンピュータ６１が各部品１についての識別情報、流通段階特定情報、製造業者情報、製造工場情報、積載車情報、出荷時刻情報及び出荷時備考情報を一括してホストコンピュータ２１に送信する。この場合、端末コンピュータ６１は、各部品１についての識別情報、製造業者情報、製造工場情報、積載車情報、出荷時刻情報及び出荷時備考情報の値を表（テーブル）形式で表示デバイス６２に表示させる。
【００５９】
（８）  受信及び記録
端末コンピュータ６１が送信処理を行うと、ホストコンピュータ２１が端末コンピュータ６１から識別情報、流通段階特定情報、出荷時刻情報、製造業者情報、製造工場情報、積載車情報及び出荷時備考情報を受信する。
【００６０】
そして、ホストコンピュータ２１は、受信した識別情報を記憶部２４に記録するとともに、受信した流通段階特定情報、出荷時刻情報、製造業者情報、製造工場情報、積載車情報及び出荷時備考情報をその識別情報に対応付けて記憶部２４に記録する。このように記録された情報が、図５に示す流通履歴データ４１の識別情報４２、流通段階特定情報４３、出荷時刻情報４４、製造業者情報４５、製造工場情報４６、積載車情報４７及び出荷時備考情報４８である。なお、ホストコンピュータ２１が端末コンピュータ６１から識別情報、流通段階特定情報、製造業者情報、製造工場情報、積載車情報及び出荷時備考情報４８を受信した時刻を検知して、検知時刻を値とした出荷時刻情報を取得して、それを出荷時刻情報４４として記録してもよい。この場合、端末コンピュータ６１が出荷時刻情報の取得及び送信の処理を行わない。
【００６１】
また、ホストコンピュータ２１は、設計データ３０を更新する。具体的には、受信した識別情報の値に等しい識別情報３２を有する部品データ３１の流通段階特定情報３６が、ホストコンピュータ２１によって、受信した流通段階特定情報の値に更新される。
【００６２】
（９）  同期
端末コンピュータ６１による送信処理とホストコンピュータ２１による受信及び記録の処理とが終了すると、端末コンピュータ６１及びホストコンピュータ２１がこれらの間で同期処理を行う。これにより、端末コンピュータ６１は、端末６０の記憶部６４に記憶された設計データ７０のうち、ホスト２０の記憶部２４に記憶された設計データ３０と設計データ７０の差分を設計データ３０と同様の値に更新する。つまり、上述のように設計データ３０のうち、ホスト２０が受信した識別情報の値と等しい識別情報３２を有する部品データ３１の流通段階特定情報３６が更新されたので、設計データ７０のうち、その部品データ３１に対応する部品データ７１の流通段階特定情報が更新される。
【００６３】
（１０）  モデルの表示
同期処理後、端末コンピュータ６１が設計データ７０を読み込む。そうすると、端末コンピュータ６１が各部品１の三次元形状情報及び位置情報に従って各部品モデルを仮想空間に配置して、各部品モデルをレンダリング処理によって表示デバイス６２に表示させる。各部品モデルのレンダリング処理にあたって、端末コンピュータ６１は各部品データ７１の流通段階特定情報を参照して、各部品モデルの表示態様（例えば、色、透明度、点滅の有無、強調表示の有無等）を決定する。つまり、端末コンピュータ６１は、流通段階特定情報の値が『出荷済み』となる部品モデルの表示態様と、流通段階特定情報の値が『出荷済み』以外となる部品モデルの表示態様を相違させるように、これら各部品モデルを表示デバイス６２に表示させる。
【００６４】
これにより、図１１に示すように、各部品モデル１１８からなる建造物モデル１１７が表示デバイス６２に表示される。図１１においてドット模様が付された部品モデル１１８は、流通段階特定情報の値が『出荷済み』となる部品データ７１の三次元情報及び位置情報に従って表示されたものである。ドット模様が付されていない部品モデル１１８は、流通段階特定情報の値が『出荷済み』以外となる部品データ７１の三次元情報及び位置情報に従って表示されたものである。ドット模様が付された部品モデル１１８と、ドット模様が付されていない部品モデル１１８とは、表示態様が異なる。
【００６５】
なお、端末コンピュータ６１は、上記（５）の処理により取得した識別情報の値に等しい部品データ７１の部品モデルの表示態様と、それ以外の部品データ７１の部品モデルの表示態様を相違させるように、これら各部品モデルを表示デバイス６２に表示させてもよい。
【００６６】
以上により、部品１の出荷段階におけるホストコンピュータ２１及び端末コンピュータ６１の処理が終了する。
【００６７】
４−３．  搬入段階の履歴取得
（１）  工事現場９３への部品１の搬入段階において、搬入作業に携わる作業者が端末コンピュータ６１に探索支援プログラム８１を実行させる。そうすると、端末コンピュータ６１が上述の「４−２．  出荷段階の履歴取得」の「（１）  モード選択画面の表示」と同様な処理を実行する。そして、作業者が図６のモード選択画面において管理ボタン１０１を選択すると、端末コンピュータ６１が上述の「４−２．  出荷段階の履歴取得」の「（２）  流通段階選択画面の表示」と同様な処理を実行するので、図７に示される流通段階選択画面が表示される。
【００６８】
（２）  流通段階特定情報の取得
流通段階選択画面の表示中に作業者が搬入ボタン１０５を選択すると、端末コンピュータ６１がその旨を認識する。そうすると、端末コンピュータ６１は、搬入ボタン１０５に対応付けられた選択肢を流通段階特定情報として取得する。つまり、端末コンピュータ６１は、値が『搬入済み』となる流通段階特定情報を取得する。
【００６９】
（３）  搬入情報の取得
流通段階特定情報の取得後、端末コンピュータ６１は、図１２に示すような搬入情報入力画面を表示デバイス６２に表示させる。図１２に示すように、搬入情報入力画面には、コンボボックス１２０及びテキストボックス１２１が配置されている。コンボボックス１２０は、部品１の一時保管場所を選択して入力するためのウィジェットである。一時保管場所とは、工事現場９３のストックヤード９４を複数の領域に分けた場合に、それらの領域のことをいう。コンボボックス１２０の各項目は、これら領域を特定するための情報である。テキストボックス１２１は、作業者がテキストを入力するためのウィジェットである。
【００７０】
作業者が入力デバイス６３によってコンボボックス１２０の各項目の中から１つを選択し、端末コンピュータ６１が選択された項目を一時保管場所情報として取得する。作業者が必要に応じて入力デバイス６３によってテキストボックス１２１にテキストを入力したら、端末コンピュータ６１が入力テキストを搬入時備考情報として取得する。
【００７１】
（４）  識別情報の取得
一時保管場所情報の取得後、端末コンピュータ６１が図９に示すようなコード読取画面を表示デバイス６２に表示させるとともに、リーダ６６を起動する。そして、コード読取画面の表示中に作業者が端末６０のリーダ６６に読込処理を行わせると、端末コンピュータ６１がリーダ６６の出力信号を処理して識別情報を取得する。なお、作業者が識別情報の値を入力デバイス２３又はマイクロフォン６７により入力することによって、端末コンピュータ６１が入力デバイス２３又はマイクロフォン６７を介して識別情報を取得してもよい。
その後、端末コンピュータ６１は、取得した識別情報に流通段階特定情報、一時保管場所情報及び搬入時備考情報を対応付ける。
【００７２】
（５）  搬入時刻情報の取得
端末コンピュータ６１は、識別情報の取得時にその時刻を検知して、検知時刻を値とした搬入時刻情報を取得する。そして、端末コンピュータ６１は、その搬入時刻情報を識別情報に対応付ける。
なお、以下の（６）の送信及び表示の処理の実行の前に、上述の（３）〜（５）の処理が端末コンピュータ６１によって繰り返し実行されることによって、端末コンピュータ６１が複数の部品１について識別情報に一時保管場所情報、搬入時刻情報及び搬入時備考情報を対応付けてもよい。
【００７３】
（６）  取得情報の送信及び表示
識別情報及び搬入時刻情報の取得後、端末コンピュータ６１が識別情報、流通段階特定情報、搬入時刻情報、一時保管場所情報及び搬入時備考情報を互いに対応付けた状態でホストコンピュータ２１に送信する。また、端末コンピュータ６１は、取得した識別情報、流通段階特定情報、搬入時刻情報、一時保管場所情報及び搬入時備考情報の値を表示デバイス６２に表示させる。
なお、（３）〜（５）の処理が端末コンピュータ６１によって繰り返し実行された場合、端末コンピュータ６１が各部品１についての識別情報、流通段階特定情報、搬入時刻情報、一時保管場所情報及び搬入時備考情報を一括してホストコンピュータ２１に送信する。この場合、端末コンピュータ６１は、各部品１についての識別情報、搬入時刻情報、一時保管場所情報及び搬入時備考情報の値を表形式で表示デバイス６２に表示させる。
【００７４】
（７）  受信及び記録
端末コンピュータ６１が送信処理を行うと、ホストコンピュータ２１が端末コンピュータ６１から識別情報、流通段階特定情報、搬入時刻情報、一時保管場所情報及び搬入時備考情報を受信する。
【００７５】
そして、ホストコンピュータ２１は、受信した流通段階特定情報、搬入時刻情報、時保管情報及び搬入時備考情報を記憶部２４に記録する。この際、ホストコンピュータ２１は、受信した識別情報の値に等しい識別情報４２を有する流通履歴データ４１の流通段階特定情報４３の値を、受信した流通段階特定情報の値に更新する。また、ホストコンピュータ２１は、受信した識別情報の値に等しい識別情報４２を有する流通履歴データ４１に、受信した搬入時刻情報、一時保管場所情報及び搬入時備考情報を追記する。このように追記された情報が、図５に示す搬入時刻情報４９、一時保管場所情報５０及び搬入時備考情報５１である。なお、ホストコンピュータ２１が端末コンピュータ６１から識別情報、流通段階特定情報、一時保管場所情報及び搬入時備考情報を受信した時刻を検知して、検知時刻を値とした搬入時刻情報を取得して、それを搬入時刻情報４９として記録してもよい。この場合、端末コンピュータ６１が搬入時刻情報の取得及び送信処理を行わない。
【００７６】
また、ホストコンピュータ２１は、受信した識別情報の値に等しい識別情報３２を有する部品データ３１の流通段階特定情報３６の値を、受信した流通段階特定情報の値に更新する。
【００７７】
（８）  その後、ホストコンピュータ２１及び端末コンピュータ６１が上述の「４−２．  出荷段階の履歴取得」の「（９）  同期」と同様な処理を実行する。
その後、端末コンピュータ６１が上述の「４−２．  出荷段階の履歴取得」の「（１０）  モデルの表示」と同様な処理を実行する。この際、端末コンピュータ６１は、流通段階特定情報の値が『搬入済み』となる部品モデルの表示態様（例えば、色、透明度、点滅の有無、強調表示の有無等）と、流通段階特定情報の値が『搬入済み』以外となる部品モデルの表示態様を相違させるように、これら各部品モデルを表示デバイス６２に表示させる。なお、端末コンピュータ６１は、上記（４）の処理により取得した識別情報の値に等しい部品データ７１の部品モデルの表示態様と、それ以外の部品データ７１の部品モデルの表示態様を相違させるように、これら各部品モデルを表示デバイス６２に表示させてもよい。
【００７８】
以上により、部品１の搬入段階におけるホストコンピュータ２１及び端末コンピュータ６１の処理が終了する。
【００７９】
４−４．  地組段階の履歴取得
（１）  作業ヤード９５で部品１を地組する段階において、地組作業に携わる作業者が端末コンピュータ６１に探索支援プログラム８１を実行させる。そうすると、端末コンピュータ６１が上述の「４−２．  出荷段階の履歴取得」の「（１）  モード選択画面の表示」と同様な処理を実行する。そして、作業者が図６のモード選択画面において管理ボタン１０１を選択すると、端末コンピュータ６１が上述の「４−２．  出荷段階の履歴取得」の「（２）  流通段階選択画面の表示」と同様な処理を実行するので、図７に示される流通段階選択画面が表示される。
【００８０】
（２）  流通段階特定情報の取得
流通段階選択画面の表示中に作業者が地組ボタン１０６を選択すると、端末コンピュータ６１がその旨を認識する。そうすると、端末コンピュータ６１は、地組ボタン１０６に対応付けられた選択肢を流通段階特定情報として取得する。つまり、端末コンピュータ６１は、値が『地組済み』となる流通段階特定情報を取得する。
【００８１】
（３）  地組時備考情報の取得
流通段階特定情報の取得後、作業者が必要に応じて入力デバイス６３によって表示画面中のテキストボックスにテキストを入力したら、端末コンピュータ６１が入力テキストを地組時備考情報として取得する。
【００８２】
（４）  識別情報の取得
その後、端末コンピュータ６１が図９に示すようなコード読取画面を表示デバイス６２に表示させるとともに、リーダ６６を起動する。そして、コード読取画面の表示中に作業者が端末６０のリーダ６６に読込処理を行わせると、端末コンピュータ６１がリーダ６６の出力信号を処理して識別情報を取得する。なお、作業者が識別情報の値を入力デバイス２３又はマイクロフォン６７により入力することによって、コンピュータ６１が入力デバイス２３又はマイクロフォン６７を介して識別情報を取得してもよい。
そして、端末コンピュータ６１は、取得した識別情報に流通段階特定情報及び地組時備考情報を対応付ける。
【００８３】
（５）  地組時刻情報の取得
端末コンピュータ６１は、識別情報の取得時にその時刻を検知して、検知時刻を値とした地組時刻情報を取得する。そして、端末コンピュータ６１は、その地組時刻情報を識別情報に対応付ける。
その後、上述の（３）〜（５）の処理が端末コンピュータ６１によって繰り返し実行されることによって、端末コンピュータ６１が複数の部品１について識別情報、地組時刻情報及び地組時備考情報を取得する。
【００８４】
（６）  取得情報の送信及び表示
識別情報、地組時刻情報及び地組時備考情報の取得後、端末コンピュータ６１が各部品１についての識別情報、流通段階特定情報、地組時刻情報及び地組時備考情報を一括してホストコンピュータ２１に送信する。また、端末コンピュータ６１は、各部品１についての識別情報、地組時刻情報及び地組時備考情報の値を表形式で表示デバイス６２に表示させる。
【００８５】
（７）  受信及び記録
端末コンピュータ６１が送信処理を行うと、ホストコンピュータ２１が端末コンピュータ６１から識別情報、流通段階特定情報、地組時刻情報及び地組時備考情報を受信する。
【００８６】
そして、ホストコンピュータ２１は、受信した流通段階特定情報、地組時刻情報及び地組時備考情報を記憶部２４に記録する。この際、ホストコンピュータ２１は、受信した識別情報の値に等しい識別情報４２を有する流通履歴データ４１の流通段階特定情報４３の値を、受信した流通段階特定情報の値に更新する。また、ホストコンピュータ２１は、受信した識別情報の値に等しい識別情報４２を有する流通履歴データ４１に、受信した地組時刻情報及び地組時備考情報を追記する。このように追記された情報が、図３に示す地組時刻情報５２及び地組時備考情報５３である。なお、ホストコンピュータ２１が端末コンピュータ６１から識別情報、流通段階特定情報及び地組時備考情報を受信した時刻を検知して、検知時刻を値とした地組時刻情報を取得して、それを地組時刻情報５２として記録してもよい。この場合、端末コンピュータ６１が地組時刻情報の取得及び送信処理を行わない。
【００８７】
また、ホストコンピュータ２１は、受信した識別情報の値に等しい識別情報３２を有する部品データ３１の流通段階特定情報３６の値を、受信した流通段階特定情報の値に更新する。
【００８８】
（８）  その後、ホストコンピュータ２１及び端末コンピュータ６１が上述の「４−２．  出荷段階の履歴取得」の「（９）  同期」と同様な処理を実行する。
その後、端末コンピュータ６１が上述の「４−２．  出荷段階の履歴取得」の「（１０）  モデルの表示」と同様な処理を実行する。この際、端末コンピュータ６１は、流通段階特定情報の値が『地組済み』となる部品モデルの表示態様（例えば、色、透明度、点滅の有無、強調表示の有無等）と、流通段階特定情報の値が『地組済み』以外となる部品モデルの表示態様を相違させるように、これら各部品モデルを表示デバイス６２に表示させる。なお、端末コンピュータ６１は、上記（３）の処理により取得した識別情報の値に等しい部品データ７１の部品モデルの表示態様と、それ以外の部品データ７１の部品モデルの表示態様を相違させるように、これら各部品モデルを表示デバイス６２に表示させてもよい。
【００８９】
以上により、部品１の地組段階におけるホストコンピュータ２１及び端末コンピュータ６１の処理が終了する。
【００９０】
４−５．  設置段階の履歴取得
（１）  工事現場９３で部品１を設置する段階において、設置作業に携わる作業者が端末コンピュータ６１に探索支援プログラム８１を実行させる。そうすると、端末コンピュータ６１が上述の「４−２．  出荷段階の履歴取得」の「（１）  モード選択画面の表示」と同様な処理を実行する。そして、作業者が図６のモード選択画面において管理ボタン１０１を選択すると、端末コンピュータ６１が上述の「４−２．  搬入時の履歴取得」の「（２）  流通段階選択画面の表示」と同様な処理を実行するので、図７に示される流通段階選択画面が表示される。
【００９１】
（２）  流通段階特定情報の取得
流通段階選択画面の表示中に作業者が建方ボタン１０７を選択すると、端末コンピュータ６１がその旨を認識する。そうすると、端末コンピュータ６１は、建方ボタン１０７に対応付けられた選択肢を流通段階特定情報として取得する。つまり、端末コンピュータ６１は、値が『設置済み』となる流通段階特定情報を取得する。
【００９２】
（３）  設置時備考情報の取得
流通段階特定情報の取得後、作業者が必要に応じて入力デバイス６３によって表示画面中のテキストボックスにテキストを入力したら、端末コンピュータ６１が入力テキストを設置時備考情報として取得する。
【００９３】
（４）  識別情報の取得
その後、端末コンピュータ６１が図９に示すようなコード読取画面を表示デバイス６２に表示させるとともに、リーダ６６を起動する。そして、コード読取画面の表示中に作業者が端末６０のリーダ６６に読込処理を行わせると、端末コンピュータ６１がリーダ６６の出力信号を処理して識別情報を取得する。なお、作業者が識別情報の値を入力デバイス２３又はマイクロフォン６７により入力することによって、コンピュータ６１が入力デバイス２３又はマイクロフォン６７を介して識別情報を取得してもよい。
その後、端末コンピュータ６１は、取得した識別情報に流通段階特定情報及び設置時備考情報を対応付ける。
【００９４】
（５）  設置時刻情報の取得
端末コンピュータ６１は、識別情報の取得時にその時刻を検知して、検知時刻を値とした設置時刻情報を取得する。そして、端末コンピュータ６１は、その設置時刻情報を識別情報に対応付ける。
なお、地組した複数の部品１からなる組立体を設置する場合、上述の（３）〜（５）の処理が端末コンピュータ６１によって繰り返し実行されることによって、端末コンピュータ６１が複数の部品１について識別情報、設置時刻情報及び設置時備考情報を取得する。
【００９５】
（６）  取得情報の送信及び表示
識別情報及び設置時刻情報の取得後、端末コンピュータ６１が識別情報、流通段階特定情報、設置時刻情報及び設置時備考情報を互いに対応付けてホストコンピュータ２１に送信する。また、端末コンピュータ６１は、取得した識別情報、流通段階特定情報、設置時刻情報及び設置時備考情報の値を表示デバイス６２に表示させる。
なお、（３）〜（５）の処理が端末コンピュータ６１によって繰り返し実行された場合、端末コンピュータ６１が各部品１についての識別情報、流通段階特定情報、設置時刻情報及び設置時備考情報を一括してホストコンピュータ２１に送信する。この場合、端末コンピュータ６１は、各部品１についての識別情報、設置時刻情報及び設置時備考情報を表形式で表示デバイス６２に表示させる。
【００９６】
（７）  受信及び記録
端末コンピュータ６１が送信処理を行うと、ホストコンピュータ２１が端末コンピュータ６１から識別情報、流通段階特定情報、設置時刻情報及び設置時備考情報を受信する。
【００９７】
そして、ホストコンピュータ２１は、受信した流通段階特定情報、設置時刻情報及び設置時備考情報を記憶部２４に記録する。この際、ホストコンピュータ２１は、受信した識別情報の値に等しい識別情報４２を有する流通履歴データ４１の流通段階特定情報４３の値を、受信した流通段階特定情報の値に更新する。また、ホストコンピュータ２１は、受信した識別情報の値に等しい識別情報４２を有する流通履歴データ４１に、受信した設置時刻情報及び設置時備考情報を追記する。このように追記された情報が、図５に示す設置時刻情報５４及び設置時備考情報５５である。なお、ホストコンピュータ２１が端末コンピュータ６１から識別情報、流通段階特定情報及び設置時備考情報を受信した時刻を検知して、検知時刻を値とした設置時刻情報を取得して、それを設置時刻情報５４として記録してもよい。この場合、端末コンピュータ６１が設置時刻情報の取得及び送信処理を行わない。
【００９８】
また、ホストコンピュータ２１は、受信した識別情報の値に等しい識別情報３２を有する部品データ３１の流通段階特定情報３６の値を、受信した流通段階特定情報の値に更新する。
【００９９】
（８）  その後、ホストコンピュータ２１及び端末コンピュータ６１が上述の「４−２．  出荷段階の履歴取得」の「（９）  同期」と同様な処理を実行する。
その後、端末コンピュータ６１が上述の「４−２．  出荷段階の履歴取得」の「（１０）  モデルの表示」と同様な処理を実行する。この際、つまり、端末コンピュータ６１は、流通段階特定情報の値が『設置済み』となる部品モデルの表示態様（例えば、色、透明度、点滅の有無、強調表示の有無等）と、流通段階特定情報の値が『設置済み』以外となる部品モデルの表示態様を相違させるように、これら各部品モデルを表示デバイス６２に表示させる。なお、端末コンピュータ６１は、上記（３）の処理により取得した識別情報の値に等しい部品データ７１の部品モデルの表示態様と、それ以外の部品データ７１の部品モデルの表示態様を相違させるように、これら各部品モデルを表示デバイス６２に表示させてもよい。
【０１００】
以上により、部品１の地組段階におけるホストコンピュータ２１及び端末コンピュータ６１の処理が終了する。
【０１０１】
５．  流通履歴データの閲覧
作業者は、特定の部品１が製造段階から設置段階までの何れの段階にあるかを知りたい。また、作業者は、特定の部品１の流通履歴データ４１が正しいか否か調べたい。そのような場合、部品探索支援システムを用いて特定の部品１の流通履歴データ４１を閲覧する方法について説明する。併せて、探索支援プログラム５９が特定の部品１の流通履歴データ４１の閲覧のためにホストコンピュータ２１に実行させる処理について説明する。更に、探索支援プログラム８１が特定の部品１の流通履歴データ４１の閲覧のために端末コンピュータ６１に実行させる処理について説明する。
【０１０２】
（１）  作業者が端末コンピュータ６１に探索支援プログラム８１を実行させる。そうすると、端末コンピュータ６１が上述の「４−２．  出荷段階の履歴取得」の「（１）  モード選択画面の表示」と同様な処理を実行する。そして、作業者が図６のモード選択画面において閲覧ボタン１０２を選択すると、端末コンピュータ６１が図１３に示すようなコード読取画面を表示デバイス６２に表示させるとともに、リーダ６６を起動する。
【０１０３】
（２）  識別情報の取得（特定の部品を用いる場合）
特定の部品１が作業者の手元にある場合、コード読取画面の表示中に作業者が端末６０のリーダ６６に読込処理を行わせると、端末コンピュータ６１がリーダ６６の出力信号を処理して識別情報を取得する。
【０１０４】
（３）  識別情報の取得（特定の部品を用いない場合）
特定の部品１が作業者の手元にない場合、端末コンピュータ６１が、ＧＵＩ（Graphical User Interface）により特定の部品１の識別情報を取得する。具体的には、次の通りである。
【０１０５】
コード読取画面の表示中に作業者が入力デバイス６３によって次の画面に移行させる。そうすると、端末コンピュータ６１が設計データ７０の各部品データ７１を読み込む。そして、端末コンピュータ６１が各部品１の三次元形状情報及び位置情報に従って各部品モデルを仮想空間に配置して、各部品モデルをレンダリング処理によって表示デバイス６２に表示させる。これにより、図１４に示すように、各部品モデル１１８からなる建造物モデル１１７が表示デバイス６２に表示される。
【０１０６】
建造物モデル１１７の表示中、作業者が入力デバイス６３によって建造物モデル１１７の中から部品モデル１１８を選択する。そうすると、端末コンピュータ６１が、選択された部品モデル１１８の部品データ３１の識別情報を取得する。
なお、作業者が識別情報の値を入力デバイス２３又はマイクロフォン６７により入力することによって、コンピュータ６１が入力デバイス２３又はマイクロフォン６７を介して識別情報を取得してもよい。
【０１０７】
（４）  建造物モデルの表示
上記（２）又は（３）のような識別情報の取得処理後、端末コンピュータ６１が設計データ７０の各部品データ７１を読み込んで、各部品モデルをレンダリング処理によって表示デバイス６２に表示させる。各部品モデルのレンダリング処理にあたって、端末コンピュータ６１は、取得した識別情報の値に等しい部品データ７１の部品モデルの表示態様と、それ以外の部品データ７１の部品モデルの表示態様を相違させるように、これら各部品モデルを表示デバイス６２に表示させる。
【０１０８】
（５）  識別情報の送受
以上のような識別情報の取得及び建造物モデルの表示後、端末コンピュータ６１が識別情報をホストコンピュータ２１に送信する。そして、ホストコンピュータ２１が端末コンピュータ６１から識別情報を受信する。
【０１０９】
（６）  流通履歴データの検索
ホストコンピュータ２１が、受信した識別情報を記憶部２４内の各流通履歴データ４１の識別情報４２と照合する。これにより、ホストコンピュータ２１は、記憶部２４内の各流通履歴データ４１の中から、受信した識別情報の値に等しい識別情報４２を有する流通履歴データ４１を検索する。検索した流通履歴データ４１は、特定の部品１の流通履歴を表す。以下、この流通履歴データ４１を特定流通履歴データ４１という。
【０１１０】
（７）  属性情報の検索
また、ホストコンピュータ２１が、受信した識別情報を記憶部２４内の各部品データ３１の識別情報３２と照合する。これにより、ホストコンピュータ２１は、記憶部２４内の各部品データ３１の中から、受信した識別情報の値に等しい識別情報３２を有する部品データ３１を検索する。検索した部品データ３１は、特定の部品１の部品データである。以下、この部品データ３１を特定部品データ３１といい、特定部品データ３１の属性情報３５を特定属性情報３５という。
【０１１１】
（７）  流通履歴データ及び属性情報の送受
続いて、ホストコンピュータ２１は、特定流通履歴データ４１及び特定属性情報３５を記憶部２４から読み込んで、端末コンピュータ６１に送信する。そして、端末コンピュータ６１は、ホストコンピュータ２１によって送信された特定流通履歴データ４１及び特定属性情報３５を受信する。
【０１１２】
（８）  流通履歴データの値の出力
続いて、端末コンピュータ６１が、図１５に示すように、受信した特定流通履歴データ４１の値を表示デバイス６２に表示させる。図１５に示す画面中の領域１３０には、特定流通履歴データ４１の識別情報４２の値が表示され、領域１３１には、特定流通履歴データ４１の流通段階特定情報４３の値が表示され、領域１３２には、特定流通履歴データ４１の情報４４〜５６の値が表示される。領域１３２には、受信した時刻情報４４，４９，５２，５４のうち最新の時刻のみが表示されてもよい、また、特定流通履歴データ４１の識別情報４２及び流通段階特定情報４３の値のみが表示され、情報４４〜５６の値が表示されなくてもよい。
【０１１３】
以上のように特定流通履歴データ４１の値が表示されるので、作業者は特定の部品１が流通過程のどの段階にあるかを把握することができる。また、作業者は特定の部品１の特定流通履歴データ４１が正しいか否かを調べられる。
【０１１４】
なお、端末コンピュータ６１が、特定流通履歴データ４１の値に従った音声信号を生成して、その音声信号をスピーカ６８に出力してもよい。そうすれば、特定流通履歴データ４１の値が音声としてスピーカ６８から出力される。
【０１１５】
（９）  属性情報の値の出力
続いて、端末コンピュータ６１が、図１６に示すように、特定流通履歴データ４１の識別情報４２の値とともに、特定属性情報３５の値を表示デバイス６２に表示させる。図１６に示す画面中の領域１４０には、特定流通履歴データ４１の識別情報４２の値が表示され、領域１４１には、特定流通履歴データ４１の流通段階特定情報４３の値が表示され、領域１４２には、流通段階特定情報３６以外の属性情報３５の値が表示される。領域１４２のうち領域１４３には、特定属性情報３５の備考情報３７が表示される。
【０１１６】
なお、端末コンピュータ６１が、特定属性情報３５の値に従った音声信号を生成して、その音声信号をスピーカ６８に出力してもよい。そうすれば、特定属性情報３５の値が音声としてスピーカ６８から出力される。
【０１１７】
（１０）  備考情報の取得
作業者が入力デバイス６３によって領域１４３の選択・決定をすると、端末コンピュータ６１がその旨を認識する。そうすると、端末コンピュータ６１がテキスト入力画面を表示デバイス６２に表示させる。そして、作業者が入力デバイス６３によってテキストを入力すると、その端末コンピュータ６１がそれらテキストのデータを取得する。これにより、作業者は、部品１に関する備考をテキストとして入力することができる。
【０１１８】
（１１）  備考情報の送受及び記録
続いて、端末コンピュータ６１は、取得したテキストデータに、特定流通履歴データ４１の識別情報４２の値に等しい識別情報を対応付ける。そして、端末コンピュータ６１は、これら識別情報とテキストデータをホストコンピュータ２１に送信する。
【０１１９】
ホストコンピュータ２１は、端末コンピュータ６１によって送信された識別情報とテキストデータを受信する。そして、ホストコンピュータ２１は、受信したテキストデータを備考情報３７及び備考情報５６として記憶部２４に記録する。つまり、ホストコンピュータ２１は、受信した識別情報の値に等しい識別情報３２，４２を有するデータ３１，４１の備考情報３７，５１の値を、受信したテキストデータの値に更新する。
【０１２０】
以上により、ホストコンピュータ２１及び端末コンピュータ６１の閲覧モードの処理が終了する。
【０１２１】
６．  部品の探索
作業者は、製造段階から設置段階までの何れかの段階にある特定の部品１を見つけ出したい。そのような場合、部品探索支援システムを用いて、特定の部品１を探索する方法について説明する。併せて、探索支援プログラム５９が特定の部品１の探索のためにホストコンピュータ２１に実行させる処理について説明する。更に、探索支援プログラム８１が特定の部品１の探索のために端末コンピュータ６１に実行させる処理について説明する。
【０１２２】
なお、端末６０の使用前、作業者は、特定の部品１が出荷前の段階、出荷済み段階、搬入済み段階、地組済み段階又は設置済み段階の何れかの段階にあることを見込んでいる。しかし、その作業者は、特定の部品１が何れの段階にあるか確信を持っていない。このような場合に、部品探索支援システムを用いることが有効的である。
【０１２３】
（１）  作業者が端末コンピュータ６１に探索支援プログラム８１を実行させる。そうすると、端末コンピュータ６１が上述の「４−２．  出荷段階の履歴取得」の「（１）  モード選択画面の表示」と同様な処理を実行する。そして、作業者が図６のモード選択画面において探索ボタン１０３を選択すると、端末コンピュータ６１が設計データ７０を読み込む。
【０１２４】
（２）  部品モデル及び部品データの選択
続いて、端末コンピュータ６１が、ＧＵＩにより特定の部品１の識別情報を取得する。具体的には、次の通りである。
【０１２５】
端末コンピュータ６１が、読み込んだ設計データ７０の三次元形状情報及び位置情報に従って各部品モデルを仮想空間に配置して、各部品モデルをレンダリング処理によって表示デバイス６２に表示させる（図１７参考）。これにより、各部品モデル１１８からなる建造物モデル１１７が表示デバイス６２に表示される。
【０１２６】
次に、作業者が、見つけ出したい特定の部品１の部品モデル１１８を選択する。具体的には、作業者が入力デバイス６３によって建造物モデル１１７の中から部品モデル１１８を選択する。そうすると、端末コンピュータ６１が、選択された部品モデル１１８の部品データ７１の識別情報を取得する。以下、選択された部品モデル１１８を特定部品モデル１１８といい、その特定部品モデル１１８の部品データ７１を特定部品データという。
【０１２７】
なお、作業者が識別情報の値を入力デバイス２３又はマイクロフォン６７により入力することによって、コンピュータ６１が入力デバイス２３又はマイクロフォン６７を介して識別情報を取得してもよい。
【０１２８】
（３）  識別情報の送受
続いて、端末コンピュータ６１が、特定部品データ７１の識別情報をホストコンピュータ２１に送信する。そして、ホストコンピュータ２１が、特定部品データ７１の識別情報を受信する。
【０１２９】
（４）  流通履歴データの検索
続いて、ホストコンピュータ２１が、受信した識別情報を記憶部２４内の各流通履歴データ４１の識別情報４２と照合する。これにより、ホストコンピュータ２１は、記憶部２４内の各流通履歴データ４１の中から、受信した識別情報の値に等しい識別情報４２を有する流通履歴データ４１を検索する。検索した流通履歴データ４１は、特定の部品１の流通履歴を表す。以下、この流通履歴データ４１を特定流通履歴データ４１といい、特定流通履歴データ４１の識別情報４２を特定識別情報４２という。
【０１３０】
（５）  流通履歴データの送受
続いて、ホストコンピュータ２１は、特定流通履歴データ４１を端末コンピュータ６１に送信する。そうすると、端末コンピュータ６１は、ホストコンピュータ２１から特定流通履歴データ４１を受信する。
【０１３１】
（６）  流通履歴データの値の出力
続いて、端末コンピュータ６１が、図１８に示すように、受信した特定流通履歴データ４１の値を表示デバイス６２に表示させる。図１８に示す画面中の領域１５０には、特定流通履歴データ４１の識別情報４２の値が表示され、領域１５１には、特定流通履歴データ４１の流通段階特定情報４３の値が表示され、領域１５２には、特定流通履歴データ４１の情報４４〜５６の値が表示される。領域１３２には、受信した時刻情報４４，４９，５２，５４のうち最新の時刻のみが表示されてもよい。また、特定流通履歴データ４１の流通段階特定情報４３及び識別情報４２の値のみが表示され、情報４４〜５６の値が表示されなくてもよい。
【０１３２】
このように特定流通履歴データ４１の値が表示されるので、作業者は特定の部品１が流通過程のどの段階にあるかを把握することができる。つまり、作業者は、特定の部品１が出荷前の段階、出荷済み段階、搬入済み段階、地組済み段階又は設置済み段階の何れかの段階にあることに確信を持てる。このような効果について、以下に一例を挙げてより具体的に説明する。
例えば特定の部品１が搬入済みの段階にある場合、上記（２）のように作業者が特定の部品１の部品モデル１１８を選択し、或いはその特定の部品１の識別情報の値を入力する。そうすると、領域１５１には、特定流通履歴データ４１の流通段階特定情報４３の値、つまり『搬入済み』である旨が表示される。これにより、作業者は、特定の部品１が搬入済みの段階にあることに確信を持てる。更に、領域１５２には、部品１が保管される領域を特定する一時保管場所情報５０の値が表示される。これにより、作業者は、特定の部品１がストックヤード９４内のどこに保管されているかを把握することができる。
【０１３３】
なお、端末コンピュータ６１が、特定流通履歴データ４１の値に従った音声信号を生成して、その音声信号をスピーカ６８に出力してもよい。そうすれば、特定流通履歴データ４１の値が音声としてスピーカ６８から出力される。
【０１３４】
（７）  識別情報の取得
続いて、端末コンピュータ６１が図１９に示すようなコード読取画面を表示デバイス６２に表示させるとともに、リーダ６６を起動する。
【０１３５】
コード読取画面の表示中に作業者が端末６０のリーダ６６を部品１のコード２に向ける。この部品１は、作業者が見つけ出したい特定の部品１でもあれば、そうでないこともある。以下、この部品１を候補部品１という。
【０１３６】
そして、コード読取画面の表示中に作業者が端末６０のリーダ６６に読込処理を行わせると、端末コンピュータ６１がリーダ６６の出力信号を処理して識別情報を取得する。この識別情報は候補部品１に割り当てられたものである。以下、この識別情報を入力識別情報という。
【０１３７】
（８）  対比
続いて、端末コンピュータ６１が、受信した特定流通履歴データ４１の特定識別情報４２と入力識別情報を対比して、特定識別情報４２と入力識別情報が一致するか否かを判定する。
【０１３８】
（９）  対比結果の出力
続いて、端末コンピュータ６１は、図２０又は図２１に示すように、特定識別情報４２と入力識別情報の対比の結果を表示デバイス６２に表示させる。
【０１３９】
図２０に示す画面では、特定識別情報４２と入力識別情報が一致しない旨が表示される。より具体的には、候補部品１が作業者の探している特定の部品１でない旨が表示デバイス６２に表示され、この旨は特定識別情報４２と入力識別情報の不一致を意味する。その後、端末コンピュータ６１の処理が上記（６）に戻って、上記（６）〜（９）の処理が端末コンピュータ６１によって再実行される。
【０１４０】
なお、端末コンピュータ６１が、特定識別情報４２と入力識別情報の不一致の旨の音声信号を生成して、その音声信号をスピーカ６８に出力してもよい。そうすれば、特定識別情報４２と入力識別情報の不一致の旨が音声としてスピーカ６８から出力される。
【０１４１】
図２１に示す画面では、特定識別情報４２と入力識別情報が一致する旨が表示される。より具体的には、候補部品１が作業者の探している特定の部品１である旨が表示デバイス６２に表示され、この旨は特定識別情報４２と入力識別情報の一致を意味する。その後、ホストコンピュータ２１及び端末コンピュータ６１の探索モードの処理が終了する。
【０１４２】
なお、端末コンピュータ６１が、特定識別情報４２と入力識別情報の一致の旨の音声信号を生成して、その音声信号をスピーカ６８に出力してもよい。そうすれば、特定識別情報４２と入力識別情報の一致の旨が音声としてスピーカ６８から出力される。
【０１４３】
ホストコンピュータ２１及び端末コンピュータ６１の以上のような探索モードの処理によって作業者が所定の段階にある複数の部品１の中から特定の部品１を探し出すことができる。このような効果について、以下に一例を挙げてより具体的に説明する。
例えば特定の部品１が搬入済みの段階にある場合、特定の部品１以外にも多くの部品１がストックヤード９４に置かれている。そのような場合、上記（７）のように作業者が候補部品１のコード２、文字列又はＩＣタグを端末６０に読み込ませると、図１７に示すようにその候補部品１が特定部品１であるか否かが表示デバイス６２に表示される。候補部品１が特定部品１でない場合、別の候補部品１のコード２、文字列又はＩＣタグを端末６０に順次読み込ませる。こうして、候補部品１が特定部品１である旨が表示デバイス６２に表示されると、作業者が搬入済み段階にある複数の部品１の中から特定の部品１を探し出すことができる。
【０１４４】
６．  有利な効果
（１）  作業者が端末６０を利用して、端末コンピュータ６１及びホストコンピュータ２１が「４．  流通履歴の収集」のような処理を実行すると、部品１の流通履歴を表す流通履歴データ４１が流通履歴データベース４０に収集される。これにより、流通する部品１のトレーサビリティが実現される。
【０１４５】
（２）  作業者が端末６０を利用して、端末コンピュータ６１及びホストコンピュータ２１が「５．  流通履歴データの閲覧」のような処理を実行すると、流通履歴データ４１の値が端末６０の表示デバイス６２に表示される。これにより、作業者は、特定の部品１の流通履歴を把握することができる。
【０１４６】
（３）  作業者が端末６０を利用して、特定の部品１を指定すると（「５．  流通履歴データの閲覧」の「（２）  部品モデル及び部品データの選択」参照）、特定流通履歴データ４１の流通段階特定情報４３の値が端末６０の表示デバイス６２に表示される（「５．  流通履歴データの閲覧」の「（６）  流通履歴データの値の出力」参照）。これにより、作業者は、特定の部品１がどの段階にあるかについて確信を持てる。
【０１４７】
（４）  作業者が端末６０を利用して、特定の部品１の指定後に候補の部品１を指定すると（「５．  流通履歴データの閲覧」の「（７）  識別情報の取得」参照）、その候補の部品１が特定の部品１であるか否かが端末６０の表示デバイス６２に表示される（「５．  流通履歴データの閲覧」の「（（９）  対比結果の出力」参照）。これにより、作業者は、複数の部品１の中から特定の部品１を探し出すことができる。
【０１４８】
（５）  部品１が予定よりも早く搬入された場合、その部品１をストックヤード９４で長期間管理すると、その部品１が工事作業の妨げとなることがあり、その部品１を移動することが多くなるため、部品１の置き場所が分からなくなることがある。また、工事現場９３が広大であると、ストックヤード９４が複数に分かれ、作業者が場所を間違えて部品１を置いてしまうことがあるため、他の作業員がその部品１を探すのに大変苦労する。こういった問題が発生したとき、作業者が端末６０を利用して、探したい部品１を指定すると、一時保管場所情報５０の値が端末６０に表示される。そのため、作業者は、探したい部品１の場所を把握することができる。探したい部品１がその場所に無い場合でも、作業者が候補の部品１のコード２を次々読み込ませることによって、探したい部品１を見つけ出すことができる。
【０１４９】
７．  変形例
なお、「４−２．  出荷段階の履歴取得」の「（５）  識別情報の取得」、「４−３．  搬入段階の履歴取得」の「（４）  識別情報の取得」、「４−４．  地組段階の履歴取得」の「（４）  識別情報の取得」、「４−５．  設置段階の履歴取得」の「（４）  識別情報の取得」において、作業者がリーダ６６を用いてコード２を端末コンピュータ６１に読み込ませた。これに限らず、作業者がＧＵＩにより部品１の識別情報を入力してもよい。つまり、作業者が表示画面中の建造物モデル１１７の中から部品モデル１１８を入力デバイス６３によって選択する。そうすると、端末コンピュータ６１が、選択された部品モデル１１８の部品データ３１の識別情報を取得する。このような場合、次のような有利な効果が認められる。
例えば設置段階等において部品１が高所にある場合、作業者がリーダ６６を用いてコード２を端末コンピュータ６１に読み込ませることができない。そのような場合でも、クレーン操縦者等が端末６０を用いてＧＵＩにより部品１の識別情報を入力することによって、記憶部２４内の流通段階特定情報４３が『設置済み』に更新され、更に設置時刻情報５４及び設置時備考情報５５が記憶部２４に記録される。
また、部品１の設置後の閲覧時又は探索時において、作業者がＧＵＩにより部品１の識別情報を入力すると（「５．  流通履歴データの閲覧」の「（３）  識別情報の取得」、「６．  部品の探索」の「（２）  部品モデル及び部品データの選択」参照）、その部品１の流通履歴データ４１の値が手元の端末６０に表示される。そのため、作業者が高所の設置箇所に移動せずとも済む。
【符号の説明】
【０１５０】
１…部品
２０…ホスト
２１…ホストコンピュータ
２４…記憶部
４０…流通履歴データベース
４１…流通履歴データ
４２…識別情報
４３…流通段階特定情報
６０…携帯端末
６１…端末コンピュータ
６２…表示デバイス（出力デバイス）
６３…入力デバイス
６６…リーダ
６７…マイクロフォン
６８…スピーカ（出力デバイス）
【図１】
2019099361.tif 000003
【図２】
2019099361.tif 000004
【図３】
2019099361.tif 000005
【図４】
2019099361.tif 000006
【図５】
2019099361.tif 000007
【図６】
2019099361.tif 000008
【図７】
2019099361.tif 000009
【図８】
2019099361.tif 000010
【図９】
2019099361.tif 000011
【図１０】
2019099361.tif 000012
【図１１】
2019099361.tif 000013
【図１２】
2019099361.tif 000014
【図１３】
2019099361.tif 000015
【図１４】
2019099361.tif 000016
【図１５】
2019099361.tif 000017
【図１６】
2019099361.tif 000018
【図１７】
2019099361.tif 000019
【図１８】
2019099361.tif 000020
【図１９】
2019099361.tif 000021
【図２０】
2019099361.tif 000022
【図２１】
2019099361.tif 000023